(57)【要約】      （修正有）【課題】建物のスラブ上で熱媒体循環管を支持するように、組み立て式に設けられる支持ブロックを防音効果が向上するように構成し、これを用いて建物の床構造物を施工することにより、層内及び層間の騒音の伝播を著しく低減できる防音効果を高めた組み立て式の支持ブロックとこれを用いた床構造物及びその施工方法を提供する。【解決手段】建物のスラブ上に位置し、熱媒体循環管４０を収容する溝部と、この溝部の間の空間に突設されると共に、複数の防音ホール２８が穿孔された平板部からなる組み立て式支持ブロック２０と、その下部に設けられる遮音マットと、その上部に配管される熱媒体循環管４０と、その上部に面するように設けられる圧縮不織布４２と、その上部面に面するように積層される床仕上げ材４３とを備えることを特徴とする。【選択図】図６
2005163536.tif 000002
【特許請求の範囲】
【請求項１】
建物のスラブ上に設置して用いる、熱媒体循環管を収容する溝部と、この溝部の間の空間に突設された平板部とからなる組み立て式の支持ブロックにおいて、
前記平板部に穿孔された複数の防音ホールと、
前記支持ブロックの側面に設けられ、該支持ブロックを連結して組み立てるための係合溝部と係合突起とを備えることを特徴とする防音効果を高めた組み立て式の支持ブロック。
【請求項２】
前記係合溝部が設けられた側面には、下部係止段が設けられており、前記係合突起が設けられた側面には、上部係合段が設けられていることを特徴とする請求項１に記載の防音効果を高めた組み立て式の支持ブロック。
【請求項３】
前記熱媒体循環管を収容する溝部は、直線と曲線との組み合わせで形成されることを特徴とする請求項１に記載の防音効果を高めた組み立て式の支持ブロック。
【請求項４】
前記熱媒体循環管を収容する溝部には、これに収容される前記熱媒体循環管からの熱伝導のための熱伝導性部材がさらに備えられることを特徴とする請求項１に記載の防音効果を高めた組み立て式の支持ブロック。
【請求項５】
建物のスラブ上に設置される床構造物において、
前記建物のスラブに面するように設けられる遮音マットと、
前記遮音マットの上部面に面するように設けられる請求項１乃至４のいずれかに記載の組み立て式の支持ブロックと、
前記支持ブロックの溝部に挿設される熱媒体循環管と、
前記熱媒体循環管が設けられた支持ブロックの上部に面するように積層される圧縮不織布と、
前記圧縮不織布の上部面に面するように積層される床仕上げ材とを備えることを特徴とする防音効果を高めた組み立て式の支持ブロックを用いた床構造物。
【請求項６】
前記遮音マットは、下部がＰＶＣ層であり、上部が圧縮繊維層である複合材料からなることを特徴とする請求項５に記載の防音効果を高めた組み立て式の支持ブロックを用いた床構造物。
【請求項７】
前記圧縮不織布は、その上部に、熱媒体循環管から放熱される熱を受けて蓄熱する蓄熱層がさらに積層されることを特徴とする請求項５に記載の防音効果を高めた組み立て式の支持ブロックを用いた床構造物。
【請求項８】
前記床仕上げ材は、その下部に騒音遮蔽のためのゴム材質の遮音シートがさらに設けられることを特徴とする請求項５に記載の防音効果を高めた組み立て式の支持ブロックを用いた床構造物。
【請求項９】
建物のスラブの上面に床構造物を施工する方法において、
前記建物のスラブ上に面して騒音を遮蔽するように遮音マットを設ける工程と、
前記設けられた遮音マットの上部面に面するように請求項１乃至４のいずれかに記載の支持ブロックを組み立て式に設ける工程と、
前記組み立てられて設けられた支持ブロックの上部溝部に熱媒体循環管を配管する工程と、
前記熱媒体循環管が取り付けられた支持ブロックの上部に面するように圧縮不織布を設ける工程と、
前記圧縮不織布の上部面に面するように床仕上げ材を積層する工程とを含むことを特徴とする防音効果を高めた組み立て式の支持ブロックを用いた床構造物の施工方法。
【請求項１０】
前記圧縮不織布の上部面には、熱媒体循環管から放熱される熱を受けて蓄熱する蓄熱層を、該圧縮不織布の上部面に面するように設ける工程をさらに含むことを特徴とする請求項９に記載の防音効果を高めた組み立て式の支持ブロックを用いた床構造物の施工方法。
【請求項１１】
前記圧縮不織布と床仕上げ材との間に騒音遮蔽のためのゴム材質の遮音シートを、該圧縮不織布と床仕上げ材とに面するように設ける工程をさらに含むことを特徴とする請求項９に記載の防音効果を高めた組み立て式の支持ブロックを用いた床構造物の施工方法。
【発明の詳細な説明】
【技術分野】
【０００１】
本発明は、防音効果を高めた組み立て式の支持ブロックとこれを用いた床構造物及びその施工方法に関し、より詳しくは、建物のスラブにおける熱媒体循環管を支持するように、組み立て式に設けられる支持ブロックを防音効果が向上するように構成し、これを用いて建物の床構造物を施工することにより、層内及び層間の騒音の伝播を著しく低減できる防音効果を高めた組み立て式支持ブロックとこれを用いた床構造物及びその施工方法に関する。
【背景技術】
【０００２】
一般に、建築における床構造物の施工方法には、湿式工法と乾式工法とがある。ここで、湿式工法とは、建物のスラブ上に断熱板を敷き、その上にパイプ支持板を設けた後、熱媒体循環管（温水パイプ）を配管し、蓄熱材を敷設した後、その上面をコンクリートモルタルを打設して仕上げを行うものである。このような湿式工法は、蓄熱性能が良好であり、堅固であるという利点がある反面、断熱板、支持板、蓄熱材及び砂、セメントなどを運搬し、施工現場で直接施工する方式であり、工事期間が長期化し、温水パイプの勾配を正確に調整しなければならず、専門の熟練工のみが施工することができ、施工費が増大するだけでなく、温水パイプの漏水時にも打設されたコンクリートモルタル層を破壊しなければならず、補修に多くの時間や費用がかかっている。
【０００３】
このような湿式工法の問題点を解決するために、乾式工法による建築床材施工方法が知られている。乾式工法は、建物のスラブに断熱板を敷き、その上にパイプ支持板を設けた後、熱媒体循環管（温水パイプ）を配管し、さらに、その上に金属製の上板を設ける等して、このような構成要素を組み立てた床構造物単位体を現場に運搬して互いに組み立てる工程である。このような乾式工法では、使用される上板が金属材質であるため、強度が十分であり、破損が防止され、熱伝導率が良好であって、暖房時間が短縮されるという利点はあるが、金属材質の上板が通常は支持板にねじ釘や固定ピンなどで固定されており、暖房時に加熱による熱膨張によりねじ釘が脱落したり、屈曲するなどの変形が生じ、床仕上げ材が上板から脱落したり変形したりするという問題があった。
【０００４】
特に、このような上板と床仕上げ材との間の脱落や変形は、騒音発生の原因となり、高層建物の室内騒音及び層間騒音などが問題となっている。
【０００５】
前述のような乾式工法で発生する問題点を解決するものとして、本発明者は、韓国特許１０−０２５７６８５号、実用新案登録２０−０１５２２８２号、実用新案登録１９９５−００８９９５０号などを出願・登録しているが、これらにも熱による収縮−膨張の問題や、組み立て式乾式オンドルの上層部に室内騒音が発生し、床構造物の騒音遮蔽性が十分でないなどの問題点がある。
【０００６】
一方、前記床構造物の湿式及び乾式工法の問題点を同時に解決するための技術として、図１に示すような韓国特許１０−０２１０３５０号の技術が開示されているが、この技術では、蓄熱層９にセメントモルタルを打設しており、湿式工法の問題となる施工費の増大及び補修時にセメントモルタル層を破壊しなければならないという欠点を抱えている。特に、熱媒体循環管７を支持する支持板（支持ブロック）３が複数の密閉された空洞５を形成することにより、振動による空洞５の共鳴現象による室内騒音が発生し、これは、層間騒音につながるという問題をもたらしている。
【０００７】
すなわち、既存の支持板（支持ブロック）３が建物の床構造物で組み立てられる場合、それぞれの支持ブロック３は、独立した一つの密閉された空洞５を形成し、このような空洞５が連続して配置される。このような一つ以上の空洞５の上部を人が歩いたり、物体がぶつかったりして発生する衝撃により騒音（これを、「１次固体音」という）及び振動が発生し、この騒音及び振動は、共鳴現象により隣接する支持ブロック３の密閉された空洞５に伝播され、さらに多くの騒音につながるという問題があった。
【発明の開示】
【発明が解決しようとする課題】
【０００８】
本発明は、上記問題点に鑑みなされたものであり、熱媒体循環管を支持する支持ブロックの平板部に複数の防音ホールを穿孔し、従来の支持ブロックにより形成される密閉された空洞による共鳴現象を除去することにより、防音効果を高めた組み立て式支持ブロックを提供することを目的とする。
【０００９】
また、本発明は、前記防音効果を高めた組み立て式支持ブロックを用いて建物のスラブに床構造物を施工することにより、室内騒音及び層間騒音に対する防音効果を高めた組み立て式支持ブロックを用いた床構造物及びその施工方法を提供することを他の目的とする。
【課題を解決するための手段】
【００１０】
上記の目的を達成するため、本発明による防音効果を高めた組み立て式の支持ブロックは、建物のスラブ上に位置し、熱媒体循環管を収容する溝部と、この溝部の間の空間に突設された平板部とからなる組み立て式の支持ブロックにおいて、前記平板部に穿孔された複数の防音ホールと、前記支持ブロックの一側面に設けられ、支持ブロックを連結して組み立てるための係合溝部及び係合突起とを備えることを特徴とする。
【００１１】
前記係合溝部が設けられた側面には、下部係止段が設けられ、前記係合突起が設けられた側面には、上部係合段を設けても良い。
【００１２】
また、前記熱媒体循環管を収容する溝部は、直線と曲線との組み合わせで形成しても良いし、前記熱媒体循環管を収容する溝部には、これに収容される前記熱媒体循環管からの熱伝導のための熱伝導性部材をさらに備えても良い。
【００１３】
また、本発明による防音効果を高めた組み立て式支持ブロックを用いた床構造物は、建物のスラブ上に設置される床構造物において、前記建物のスラブに面するように設けられる遮音マットと、前記遮音マットの上部面に面するように設けられる前記組み立て式の支持ブロックと、前記支持ブロックの溝部に挿設される熱媒体循環管と、前記熱媒体循環管が設けられた支持ブロックの上部に面するように積層される圧縮不織布と、前記圧縮不織布の上部面に面するように積層される床仕上げ材とを備えることを特徴とする。
【００１４】
前記遮音マットは、下部がＰＶＣ層であり、上部が圧縮繊維層である複合材料から構成されても良いし、前記床仕上げ材の下部に騒音遮蔽のためのゴム材質の遮音シートがさらに設けられても良い。
【００１５】
また、前記圧縮不織布は、その上部に熱媒体循環管から放熱される熱を受けて蓄熱する蓄熱層がさらに積層されても良い。
【００１６】
さらに、本発明による防音効果を高めた組み立て式の支持ブロックを用いた床構造物の施工方法は、建物のスラブの上面に床構造物を施工する方法において、前記建物のスラブ上に面して騒音を遮蔽するように遮音マットを設ける工程と、前記設けられた遮音マットの上部面に面するように前記支持ブロックを組み立て式に設ける工程と、前記組み立てて設けられた支持ブロックの上部溝部に熱媒体循環管を配管する工程と、前記熱媒体循環管が取り付けられた支持ブロックの上部に面するように圧縮不織布を設ける工程と、前記圧縮不織布の上部面に面するように床仕上げ材を積層する工程とを含むことを特徴とする。
【００１７】
また、前記圧縮不織布と床仕上げ材との間に騒音遮蔽のためのゴム材質の遮音シートをこれらに面するように設ける工程をさらに含んでも良く、前記設けられる圧縮不織布の上部面には、熱媒体循環管から放熱される熱を受けて蓄熱する蓄熱層をこれに面するように設ける工程をさらに含んでも良い。
【発明の効果】
【００１８】
このような本発明による防音効果を高めた組み立て式支持ブロックとこれを用いた床構造物及びその施工方法によれば、床構造物において、既存の支持ブロックにより密閉された空洞が形成されるのを防止するように、支持ブロックの平板部に防音ホールを穿孔することにより、外部からの衝撃による騒音及び振動の発生を最小化することができ、局部的に騒音及び振動が発生しても、開放された空洞を形成するため、騒音及び振動の伝播を最小化することができる。従って、本発明の支持ブロックを用いた床構造物または施工方法は、層間及び層内の騒音、振動の抑制に優れた効果がある。また、振動及び騒音の発生し易い仕上げ材の場合、これの下部にゴム材質の遮音シートを積層することにより、騒音及び振動を吸収し、静かな室内空間を確保できるという効果があり、建物のスラブの上部に接触するように施工される遮音マットの下部をＰＶＣ材質で形成することで層間への騒音の伝播をさらに防止すると共に放水効果も期待できる。
【発明を実施するための最良の形態】
【００１９】
以下、本発明の好ましい実施の形態を、添付図面に基づいて詳しく説明する。
【００２０】
図２は、本発明による防音効果を高めた組み立て式の支持ブロックを示す斜視図であり、図３は、本発明による防音効果を高めた組み立て式の支持ブロックを示す平面図及び側面図である。
【００２１】
本発明による組み立て式の支持ブロックは、建物のスラブ上に位置し、熱媒体循環管４０（図5）を収容するように凹状に形成される溝部２１と、この溝部２１の間の空間に突設され、上部面が平面の平板部２２とからなっている。
【００２２】
すなわち、図２乃至図３に示すように、本発明の支持ブロックの溝部２１は、ブロックの上部に温水パイプのような熱媒体循環管４０（図５）が配管されて取り付けられるように、Ｕ字状の溝状に形成される。
【００２３】
特に、前記熱媒体循環管４０を収容する溝部２１は、直線と曲線との組み合わせで形成されるが、これは、熱媒体循環管４０により熱媒体の連続的な循環が行われるように、ジグザグ式の配管作業が行われることで発生する曲線状の配管部分に適用しうると共に、一般的な直線状の配管に適用しうるように曲線状２９及び直線状３０の溝部２１が組み合わせで形成されるようにする。
【００２４】
前記曲線状２９及び直線状３０の溝部２１の境界となり、熱媒体循環管４０を取り付ける場合、これを支持するための手段としてパイプ支持突起２３が設けられている。この支持突起２３は、支持ブロックに設けられた隣接する円状の各平板部２２の間の空間に十字状の配列となるように、二対設けられており、直線状乃至曲線状の熱媒体循環管４０を支持するようにする。
【００２５】
また、前記支持ブロックの上部面に格子状に形成された溝部２１の間に所定の大きさの平坦部が突設される。前記突出された平坦部は、上部面が平面の平板部２２であり、この平板部２２は、前述のように、熱媒体循環管４０の溝部２１が直線状３０乃至曲線状２９の溝の組み合わせで形成されることにより、円状乃至半円状、１／４円状に形成される。
【００２６】
すなわち、本発明を構成する組み立て式の支持ブロックの四角単位体の中央部には、完全な円状２２ａの平板部２２が設けられ、角中央部には、半円状２２ｂの平板部２２が設けられ、頂点付近には、１／４円状２２ｃの平板部２２が設けられる。よって、支持ブロックの単位体が連続して配置されると、半円状２２ｂの平板部２２は、隣接する半円状２２ｂの平板部２２と接して完全な円状をなし、１／４円状２２ｃの平板部２２は、隣接する三つの１／４円状２２ｃの平板部２２と接して完全な円状をなすことになる。
【００２７】
一方、本発明の支持ブロックは、組み立て式に設けられるが、具体的には、側面部に設けられた凹凸嵌合部材が互いに嵌合して組み立てられる。
【００２８】
すなわち、支持ブロックの一側面部と、これと頂点で接する側面部とには、複数の係合溝部２４が設けられており、これと対面する側面部には、前記係合溝部２４と互いに対応する位置に同じ形状の係合突起２５が突設されている。よって、支持ブロックが連続して配置されて組み立てられると、前記係合突起２５が前記係合溝部２４に係合して固定される方式で組み立てられる。
【００２９】
また、本発明の支持ブロックは、連続して配置されて組み立てられる場合、左右または上下方向への揺動が発生しないように、それぞれの支持ブロック単位体は、係止段２７と係合段２６を備え、これらを面接する形で組み立てられるようにする。
【００３０】
すなわち、四角状の支持ブロックの側面部において、前記した係合溝部２４が設けられた側面には、下部係止段２７が下部から突設されており、前記係合突起２５が設けられた側面には、上部係合段２６が上部から突設されている。よって、支持ブロック単位体が連続して配置されて組み立てられる場合、前記係合突起２５が係合溝部２４に係合すると共に、上部係合段２６が下部係止段２７上で互いに面接することになる。
【００３１】
また、本発明の支持ブロックは、左右または上下方向への揺動の発生をさらに抑制するために、前述の両側下部係止段２７が接する一側頂点部位に四角状の固定段３１が設けられており、この上部面と対面して接触するように、前記下部係止段２７の他側頂点部位に対応する係合段３２が設けられている。
【００３２】
本発明を構成する支持ブロックを特徴付ける要素の一つは、前記それぞれの平板部２２に穿孔された複数の防音ホール２８である。
【００３３】
すなわち、図１に示す従来の支持ブロック３は、施工時に独立した一つの密閉された空洞５を形成しており、このような密閉された空洞５は、支持ブロック３の連続した配置により連続して形成されており、発生した１次固体音は、共鳴現象により隣接する密閉された空洞５に伝達され、さらに多くの騒音につながる。この従来の技術の問題点を解決するための手段として、本発明においては支持ブロックの平板部２２に複数の防音ホール２８を穿孔している。すなわち、この防音ホール２８は、支持ブロックの施工時に、密閉された空洞でなく、開放された空洞を形成することにより、発生した１次固体音の隣接する空洞への伝播を防止し、共鳴現象による騒音の伝播を防ぐ機能を有する。
【００３４】
図４は、本発明による防音効果を高めた組み立て式の支持ブロックの溝部に取り付けられる熱伝導性部材を示す斜視図である。
【００３５】
本発明を構成する支持ブロックは、これに形成された溝部２１に収容される熱媒体循環管４０から発生する熱を溝部２１の左右平板部２２に伝導できる熱伝導性部材３３を備えても良い。この熱伝導性部材３３の材質は、金属材質のものであれば、いずれのものであっても良く、特に、熱伝導率の高い銅（Ｃｕ）材質を選択するのが好ましい。
【００３６】
また、この熱伝導性部材３３の形状は、前記溝部２１に挿設されるように、中央部は、円状３３ａのパイプ状に形成されると共に、この円状３３ａの左右羽根部は、板状３３ｂに形成され、支持ブロックの平板部２２を覆うことになり、熱媒体循環管４０から発生した熱を前記平板部２２に伝導することになっている。
【００３７】
以下に、本発明を構成する支持ブロック２０を用いた建物の床構造物及びその施工方法について説明する。
【００３８】
図５乃至図６は、本発明による防音効果を高めた組み立て式の支持ブロックを用いて施工された床構造物の一例を示す断面図及び切欠斜視図である。
【００３９】
図５及び図６に示すように、本発明は、前記支持ブロックを用いて建物の床構造物を形成しているが、先ず、建物のスラブ５０上に面するように遮音マット４１を設け、この遮音マット４１は、建物のスラブ５０と支持ブロック２０とを分離して、支持ブロック２０から発生する振動や騒音を遮断すると共に保温材として機能する。
【００４０】
前記遮音マット４１は、所定の密度を有する圧縮繊維層４１ｂをその基本材料とし、より確実な騒音遮断のために、前記圧縮繊維層４１ｂの下部がＰＶＣ層４１ａの複合材料から構成されても良く、このＰＶＣ層４１ａは、遮音マット４１の騒音遮断及び保温効果と共に放水効果も与えている。
【００４１】
前記したように、建物のスラブ５０上に本発明の遮音マット４１が設けられた後、本発明を構成する支持ブロック２０が組み立てられて設けられる。支持ブロック２０は、一つの支持ブロック２０に隣接する支持ブロック２０の係合突起２５乃至係合溝部２４を係合することで設けられ、支持ブロック２０の側面部に設けられた下部係止段２７と上部係合段２６とが互いに接するようにして左右または上下の揺れなく設けられるようにする。
【００４２】
前記したように、本発明の支持ブロック２０が組み立てられた後には、熱伝導性部材３３が支持ブロック２０の溝部２１に挿設されるが、前記熱伝導性部材３３の中央円状３３ａが溝部２１に挿入され、両側の板状３３ｂが支持ブロック２０の平板部２２をカバーするように設けられる。
【００４３】
次に、温水パイプである熱媒体循環管４０が前記熱伝導性部材３３の中央円状３３ａに挿入されるように配管設置され、前記熱媒体循環管４０が曲線状に変形されて、配管される部位は、支持ブロック２０の曲線状溝部２９に位置し、支持突起２３により安定して支持されるようにする。
【００４４】
前記したように、熱媒体循環管４０が支持ブロック２０に配管設置されると、その上部に圧縮不織布４２が積層され、この圧縮不織布４２が積層されると、この上部面に面するように床仕上げ材４３が積層され、本発明の床構造物全体が形成される。前記圧縮不織布４２は、その材質が一般繊維またはガラス繊維であり、その密度が６０〜２００ｋｇ／ｍ３となるように、通常の方法で付着され、この密度範囲は、防音性及び熱伝達率を考慮して選択されたものである。また、この圧縮不織布４２の厚さは、３〜１０ｍｍとなるようにするのが好ましいが、これは、防音及び防塵、上部への熱伝達率に適切な範囲である。
【００４５】
前記のような圧縮不織布４２を積層し、その上部に蓄熱層４５を設けることができる。前記蓄熱層４５は、熱媒体循環管４０及び熱伝導性部材３３から放熱される熱を蓄熱する機能を有するものとして、黄土、麦飯石、長石、絹雲母、火山灰、珪砂、砂及びセメントなどからなる群から選択される１種以上を適当な比で混合し、バインダーを添加し、前記圧縮不織布４２の上部に接着することができる。前記したように設けられる圧縮不織布４２または蓄熱層４５上部面に床仕上げ材４３を積層するが、このときの床仕上げ材４３は、リノリウムのような比較的に振動及び騒音の発生が少ないＰＶＣのような材質の床板であるのが好ましい。
【００４６】
図７乃至図８は、本発明による防音効果を高めた組み立て式の支持ブロックを用いて施工された床構造物の他の例を示す断面図及び切欠斜視図である。
【００４７】
図７乃至図８に示すように、本発明の床構造物に適用される床仕上げ材４３が比較的振動及び騒音の発生し易い木材材質の床のような場合には、前述した床構造物の施工方法とほぼ同じであるが、圧縮不織布４２上に直に床仕上げ材４３を積層施工するのではなく、前記圧縮不織布４２または蓄熱層４５上に所定の厚さの遮音シート４４を予め積層し、その後、木材の床のような床仕上げ材４３を積層している。
【００４８】
前記遮音シート４４は、騒音及び振動を吸収できるゴム材質のものが好ましく、その厚さは、下部からの熱伝達率を考慮し、１ｍｍ以下のものを用いるのが好ましい。
【００４９】
本発明において、「積層する」とは、接着剤などのような接着物質を用いて対象物をその下部層の上部に貼り付けたり、接着することなく、所定の機械的手段により互いに固定させたり、あるいはその下部層の上部に接着または固定の手段無しに単に積載することを意味する。
【００５０】
以上のように、上記実施の形態を参照して詳細に説明し図示したが、本発明は、これに限定されるものでなく、このような本発明の基本的な技術的思想を逸脱しない範囲内で、当業界の通常の知識を有する者にとっては、他の多くの変更が可能であろう。また、本発明の技術的範囲は、添付の特許請求の範囲の記載に基づいて解釈されるべきであることは言うまでもない。
【図面の簡単な説明】
【００５１】
【図１】従来の技術により施工された床構造物を示す部分断面斜視図。
【図２】本発明による防音効果を高めた組み立て式の支持ブロックを示す斜視図。
【図３】本発明による防音効果を高めた組み立て式の支持ブロックを示す平面図及び側面図。
【図４】本発明による防音効果を高めた組み立て式の支持ブロックの溝部に取り付けられる熱伝導性部材を示す斜視図。
【図５】本発明による防音効果を高めた組み立て式の支持ブロックを用いて施工された床構造物の一例を示す断面図。
【図６】本発明による防音効果を高めた組み立て式の支持ブロックを用いて施工された床構造物の一例を示す切欠斜視図。
【図７】本発明による防音効果を高めた組み立て式の支持ブロックを用いて施工された床構造物の他の例を示す断面図。
【図８】本発明による防音効果を高めた組み立て式支持ブロックを用いて施工された床構造物の他の例を示す切欠斜視図。
【符号の説明】
【００５２】
２０  支持ブロック
２２  平板部
２４  係合溝部
２５  係合突起
２８  防音ホール
３３  熱伝導性部材
４０  熱媒体循環管
４１  遮音マット
４２  圧縮不織布
４３  床仕上げ材
４５  蓄熱層
５０  スラブ
【図１】
2005163536.tif 000003
【図２】
2005163536.tif 000004
【図３】
2005163536.tif 000005
【図４】
2005163536.tif 000006
【図５】
2005163536.tif 000007
【図６】
2005163536.tif 000008
【図７】
2005163536.tif 000009
【図８】
2005163536.tif 000010